(57)【要約】      （修正有）【課題】歯ブラシの清潔効率を効果的に向上することができるブラシヘッド及びそれを有する歯ブラシを提供する。【解決手段】ブラシヘッドは、少なくとも前端、後端、２つの対向側部及び剛毛を有し、その剛毛が刷面を形成し、刷面が一側から他の一側へ傾斜し、これにより刷面を歯及び歯肉溝に緊密に当てることができる。ブラシヘッド１は、前端１１、後端１３、２つの対向側部１５、１７（一側部１５のみ図示）、複数の剛毛１９を有し、その剛毛１９が刷面１９１を規定し、刷面が一側から他の一側へ傾斜している。刷面１９１は、前端１１の左側１７から右側１５へ傾斜してよく、一側が長く他の一側が短い例えば放物線の外形となっている。【選択図】図４
0003120305.tif 000002
【実用新案登録請求の範囲】
【請求項１】
少なくとも前端、後端、２つの対向側部及び複数の剛毛を有し、前記剛毛が刷面を形成し、該刷面が一側から他の一側へ傾斜している、ブラシヘッド。
【請求項２】
前記前端は固定部を有する、請求項１に記載のブラシヘッド。
【請求項３】
前記固定部は凸部または凸リブである、請求項２に記載のブラシヘッド。
【請求項４】
前記前端は第１の結合部を有する、請求項１に記載のブラシヘッド。
【請求項５】
前記第１の結合部は凹部である、請求項４に記載のブラシヘッド。
【請求項６】
前記後端は固定部を有する、請求項１に記載のブラシヘッド。
【請求項７】
前記固定部は凸部または凸リブである、請求項６に記載のブラシヘッド。
【請求項８】
前記後端は第２の結合部を有する、請求項１に記載のブラシヘッド。
【請求項９】
前記第２の結合部は凹部である、請求項８に記載のブラシヘッド。
【請求項１０】
前記刷面が前端の左側から右側へ傾斜し、一側が長く他の一側が短い外形となっている、請求項１に記載のブラシヘッド。
【請求項１１】
前記刷面が前端の右側から左側へ傾斜し、一側が長く他の一側が短い外形となっている、請求項１に記載のブラシヘッド。
【請求項１２】
前記刷面は放物線の外形となっている、請求項１に記載のブラシヘッド。
【請求項１３】
前記ブラシヘッドの底部には、さらに開口及び該開口両側の２つの凹溝が設けられている、請求項１に記載のブラシヘッド。
【請求項１４】
請求項１に記載のブラシヘッドと、
前記ブラシヘッドに結合されたハンドルとを備える、歯ブラシ。
【請求項１５】
前記ブラシヘッドと前記ハンドルとが一体成形されている、請求項１４に記載の歯ブラシ。
【請求項１６】
前記ブラシヘッドと前記ハンドルとが相互に分離されている、求項１４に記載の歯ブラシ。
【請求項１７】
前記ブラシヘッドの前端は第１の結合部を有し、前記ブラシヘッドの後端は第２の結合部を有し、前記ハンドルには、さらに収容部及び第３の結合部が設けられている、請求項１４に記載の歯ブラシ。
【請求項１８】
前記収容部には、さらにブラシヘッドが設けられている、請求項１７に記載の歯ブラシ。
【請求項１９】
前記ブラシヘッドの剛毛は軟性の短い剛毛である、請求項１８に記載の歯ブラシ。
【請求項２０】
前記ブラシヘッドは請求項１に記載のブラシヘッドである、請求項１８に記載の歯ブラシ。
【請求項２１】
前記収容部は凹部である、請求項１７に記載の歯ブラシ。
【請求項２２】
前記ハンドルは前記ブラシヘッドの前端または後端に結合されている、請求項１７に記載の歯ブラシ。
【請求項２３】
前記第３の結合部は第１の結合部または第２の結合部に対応して結合される凸部である、請求項１７に記載の歯ブラシ。
【請求項２４】
前記第３の結合部は凸リブを有する、請求項１７に記載の歯ブラシ。
【請求項２５】
前記ハンドルには、さらに第４の結合部が設けられている、請求項１４に記載の歯ブラシ。
【請求項２６】
前記第４の結合部は凸部である、請求項２５に記載の歯ブラシ。
【請求項２７】
前記ブラシヘッドの底部には、さらに開口及び該開口の両側の２つの凹溝が設けられ、前記ハンドルの前端には接合部が設けられている、請求項１４に記載の歯ブラシ。
【請求項２８】
前記接合部には、前記開口に対応して結合されているピンと、前記ピンの両側において前記凹溝に対応して結合されている凸部とが設けられている、請求項２７に記載の歯ブラシ。
【請求項２９】
前記ピンにはスロットが設けられている、請求項２８に記載の歯ブラシ。
【考案の詳細な説明】
【技術分野】
【０００１】
本考案は、歯の清潔技術に関し、特に歯の掃除に用いられるブラシヘッド及びそれを有する歯ブラシに関する。
【背景技術】
【０００２】
健康な歯によって、私達は正常に食事をすることができるとともに、食事を楽しむことができる。口腔内にはさまざまな細菌が充満しているため、食べ物と唾液との混合に加えて細菌の作用によって、プラークが歯肉溝（歯と歯肉の境目）に形成され、長時間にわたると歯周病や虫歯の現象を引き起こす。
【０００３】
さらに詳しく言えば、歯周病の形成病因としては、歯肉溝内のプラーク及び細菌をきれいに洗い落とすことができないため、一度歯肉溝内のプラークが堆積し石灰化すると、歯科医学でいう歯石となる。歯石が一度形成されれば、歯肉溝の清潔がより困難となり、これが歯周病の初期症状である。そして、歯肉の炎症や出血、腫れや痛みが生じる。この場合、歯科医に歯石やプラークを速やかに除去してもらわないかぎり、歯周病が次々と進行する。その結果、歯周組織の歯槽骨を失い、歯周ポケットを形成し、最後には歯のぐらつきも著しくなり、抜けてしまうことまである。
【０００４】
また、虫歯の形成の病因としては、歯に付着するプラーク及び細菌が口腔内の食べ物を介して酸性物質に代謝され、歯の石灰化構造が脱灰されることによって、エナメル質から徐々に象牙質へと侵食していくことによって生じるものである。この場合、象牙質内の象牙細管には歯髄（神経とも呼ばれる）細胞の突起が形成されているため、冷熱が象牙質から歯髄まで達して、歯髄の炎症が起こり、この歯髄炎は、想像もつかないほど激しい痛みを患者に感じさせることとなる。
【０００５】
したがって、口腔の衛生保健のためには、通常一日４回、即ち食事後及び就寝前の歯磨きが必要であると医師は推薦している。こうすることで、口腔の清潔や口腔内の異臭の解消ができるとともに、歯の病変を回避することができる。白く健康的で清潔な歯のためには、歯磨きに対する正確な理解が必要となる。現在、国際的に最も推薦されているバス歯磨き法は、主として歯ブラシと歯肉とが４５度から６０度の傾斜角となるように歯根を磨いて、歯面を上下に磨いていくものである。ただし、バス歯磨き法には効果はあるが、毎日の歯の清潔作業を健康的に且つ効果的にするためには、歯ブラシの選択が極めて重要となる。
【０００６】
現在市販されている全ての歯ブラシでは、図１Ａ及び図１Ｂに示すように、歯ブラシ１０は、ブラシヘッド１０１及びハンドル１０３を有し、ブラシヘッド１０１上の剛毛１０１１の多くが同じ長さの設計であるのが一般的である。同時に、図２Ａから図２Ｃに示すように、図示の歯ブラシの違いは、その多くがブラシヘッド１０１の大きさやブラシヘッド１０１の前方の角度であり、それらはブラシヘッドが口腔内で自在に旋回できるようにするためのものである。このうち、特殊な設計としては、図３Ａ及び図３Ｂに示すように、歯ブラシ２０のブラシヘッド２０１の前方にある剛毛２０１１は比較的長く傾斜した角度を有し、遠心側の歯にはより好ましい清潔効率があるものが知られている。また、先行技術の文献のなかでは、台湾実用新案公告第２６４６４９号に、ブラシヘッドの前端及び両側にある剛毛がブラシヘッドの後端及び中間にある剛毛より長い歯ブラシが提案されているものもある。
【０００７】
ただし、剛毛が同じ長さのタイプの歯ブラシを利用するには、相当の歯磨きのテクニックがなければ口腔内の清潔を維持することができない。また、たとえ図３Ａ及び図３Ｂに示す歯ブラシ２０または台湾実用新案公告第２６４６４９号に示す実用新案の歯ブラシを利用しても、歯ブラシによって頬を大きく開くことができず、歯ブラシがほぼ平行的に歯を清潔にする動作をするため、歯肉溝及び歯に附着したプラークを効果的に取り除くことができない。
【０００８】
同時に、上下の顎の前歯領域における舌側（即ち歯が舌に近い側面）が弧状となっており、最も磨きにくい歯磨きにおける死角である。しかしながら、前記従来技術のブラシヘッドの設計では、この領域における歯磨きにおける死角による困難や、噛み合い面の清潔への需要を同時に解決することができない。
【０００９】
上記のように、市販されているブラシヘッドと剛毛は、その設計が歯ブラシの清潔効率に大いに影響を及ぼしており、歯科医または歯科医療従事者のような口腔清潔技法を具えていないのが一般的であるため、歯周病及び虫歯が流行することとなり、歯科診療所も密集することとなっている。
【考案の開示】
【考案が解決しようとする課題】
【００１０】
したがって、上記の従来技術の種々の欠点を克服し、歯磨きが容易でかつ専門的な歯磨き法を必要としないで口腔の清潔を図ることができる歯の清潔技術の開発が求められている。
【００１１】
そこで、以上の事情に鑑み、本考案は、歯肉溝及び歯を効果的に清潔にすることができるように、歯ブラシの清潔効率を効果的に向上することができるブラシヘッド及びそれを有する歯ブラシを提供することを課題とする。
【００１２】
また、本考案は、歯磨きが容易でかつ専門的な歯磨き法を必要としないで口腔を清潔にすることができるブラシヘッド及びそれを有する歯ブラシを提供することを課題とする。
【００１３】
また、本考案は、歯磨きにおける死角及び噛み合い面の清潔への需要を同時に満足させることができるブラシヘッド及びそれを有する歯ブラシを提供することを課題とする。
【００１４】
また、本考案は、設計上の自由度を向上することができるブラシヘッド及びそれを有する歯ブラシを提供することを課題とする。
【課題を解決するための手段】
【００１５】
上記の課題を解決するために、本考案に係るブラシヘッド及びそれを有する歯ブラシにおいて、ブラシヘッドは、少なくとも前端、後端、２つの対向側部、剛毛を有し、その剛毛が刷面を規定し、該刷面が一側から他の一側へ傾斜しており、前記歯ブラシはさらに前記ブラシヘッド及び該ブラシヘッドに結合されるハンドルを含むことを特徴とする。
【００１６】
好ましくは、前端は固定部を有し、固定部は例えば凸部または凸リブのいずれか１つであり、該前端は、さらに第１の結合部を有し、第１の結合部は例えば凹部であり、後端は固定部を有してもよく、該固定部は例えば凸部または凸リブのいずれか１つであり、該後端は第２の結合部を有してもよく、該第２の結合部は例えば凹部である。好ましい実施形態として、刷面が前端の左側から右側へと傾斜し、一側が長く他の一側が短い外形となっている。他の好ましい実施形態として、刷面が前端の右側から左側へと傾斜し、一側が長く他の一側が短い外形となっている。該刷面は、放物線の外形であってよく、該ブラシヘッドの底部にはさらに開口及び該開口両側の２つの凹溝が設けられている。
【００１７】
本考案は、さらに前記のブラシヘッド及び該ブラシヘッドに結合されているハンドルを含む歯ブラシを提供する。好ましくは、ブラシヘッドとハンドルとは一体成形されまたは互いに分離されている。ブラシヘッドの前端は、第１の結合部を有し、ブラシヘッドの後端は、第２の結合部を有し、該ハンドルには、さらに収容部及び第３の結合部が設けられている。収容部は凹部であってよい。
【００１８】
好ましい実施形態として、ハンドルはブラシヘッドの前端または後端のいずれか１つへの結合を選択可能であり、第３の結合部は、第１の結合部または第２の結合部のいずれか１つに対応して結合されるための凸部であり、第３の結合部は、凸リブを有している。また、他の好ましい実施形態として、ハンドルには、さらに第４の結合部が設けられている。第４の結合部は、第１の結合部または第２の結合部のいずれか１つ、若しくはその他のブラシヘッドに対応して結合されるための凸部である。
【００１９】
他の好ましい実施形態として、収容部にはさらにブラシヘッドが設けられており、該ブラシヘッドは、前記のブラシヘッドまたはその他のタイプのブラシヘッドであってよい。ブラシヘッドがその他のタイプのブラシヘッドである場合、剛毛は、軟性の短い剛毛であってよい。さらにまた他の好ましい実施形態として、ブラシヘッドの底部には、さらに開口及び該開口両側の２つの凹溝が設けられており、ハンドルの前端には接合部が延設され、該接合部には、前記開口に対応して結合されているピンと、該ピンの両側にそれぞれ設けられ、前記凹溝に対応して結合されている凸部とが設けられており、ピンにはスロットが設けられている。
【００２０】
従来の技術に比して、本考案に係る歯ブラシは、一側が長く他の一側が短い刷面を形成するブラシヘッドを歯と歯肉溝とに緊密に近づけることにより、従来技術のように相当の歯磨き技法を必要とし、又歯ブラシによって頬を大きく開けることができず、歯ブラシがほぼ平行的に歯の掃除を行うために歯肉溝及び歯にあるプラークを効果的に除去することができないなどの問題を解決することができる。同時に、本考案によれば、上下顎の前歯領域における弧状の舌側部位を効果的に清潔にすることができ、従来技術のようにこの領域において歯磨きにおける死角の困難や噛み合い面の清潔への需要を同時に満足させられない問題を解決することができる。また、本考案に係るブラシヘッド及びそれを有する歯ブラシは、異なる設計の需要を満足させるように、各種の組み合わせの実施形態が可能である。
【考案の効果】
【００２１】
上記のように、本考案に係るブラシヘッド及びそれを有する歯ブラシによれば、歯磨きの清潔効率を効果的に向上し、歯及び歯肉溝を効果的に清潔にすることができるため、歯磨きが容易となり、しかも専門的な歯磨き方法を必要とせず口腔の清潔化を行うことができるため、歯磨きにおける死角及び噛み合い面の清潔への需要を同時に満足させることができ、より一層の設計上の自由度の向上が図られる。
【００２２】
下記は本考案の実施形態を説明するものである。この分野の技術に属する者は明細書に記載の内容によって簡単に本考案のその他の利点や効果を理解できる。本考案は図示の実施の形態に限定されるものではなく、本考案の技術思想の範囲内で数々の変更態様が可能である。
【考案を実施するための最良の形態】
【００２３】
以下、本考案を実施の形態に基づいてさらに詳細に説明するが、本考案はこれらの実施の形態に限定されるものではない。
【００２４】
図４Ａから図６は、本考案に係るブラシヘッド及びそれを有する歯ブラシの第１の実施形態を示す。
【００２５】
図４Ａに示すように、本実施形態のブラシヘッド１は、前端１１、後端１３、２つの対向側部１５、１７（一側部１５のみ図示）、複数の剛毛１９を有し、その剛毛１９が刷面１９１を規定し、該刷面が一側から他の一側へ傾斜している。図４Ｂに示すように、本実施形態においては、刷面１９１は、前端１１の左側１７から右側１５へ傾斜してよく、一側が長く他の一側が短い例えば放物線の外形となっている。
【００２６】
図５に示すように、歯ブラシ１００は、ブラシヘッド１及び該ブラシヘッドに結合されているハンドル３を備えている。本実施形態においては、ブラシヘッド１とハンドル３とが一体成形されている。ただし、他の実施形態においては、ブラシヘッド１とハンドル３とを互いに分離するように設計してもよく、ハンドル３は、本実施形態に示す構造に限定されるものではなく、例えば電動歯ブラシまたは歯ブラシに適用されるその他のハンドルであればよい。
【００２７】
図６に示すように、本考案に係るブラシヘッド１及びそれを有する歯ブラシ１００が適用される場合、剛毛１９の刷面１９１を歯５と歯肉溝７とに緊密に当ててよい。このように、使用者は、ブラシヘッド１（歯ブラシ１００）を横に振動させるだけで、歯５と歯肉溝７におけるプラークを効果的に除去することができ、歯科医または歯科医療従事者のように複雑でかつ難しいバス歯磨き法を学習して口腔を清潔にすることは必要なくなる。
【００２８】
上記のように、本考案に係るブラシヘッド及びそれを有する歯ブラシによれば、歯磨きがより容易となり、しかも専門的な歯磨き法を必要としないで口腔を清潔にすることができる。
【００２９】
図７及び図８は、本考案に係るブラシヘッド及びそれを有する歯ブラシの第２の実施形態を示す。本考案の説明をより分かりやすくするために、第１の実施形態と同一または近似の部分には同一または近似の参照番号を付し、詳しい説明を省略する。
第２の実施形態と第１の実施形態との最大の相違点は、第２の実施形態では歯ブラシの末端に他のブラシヘッドが設けられていることにある。
【００３０】
図７に示すように、本実施形態においては、歯ブラシ１００’の末端に収容部１０１が設けられ、該収容部はブラシヘッド １'を収容するための凹溝であってよい。ブラシヘッド１’の前端１１’は固定部１１１’を有し、ブラシヘッド１’の後端１３’も固定部１３１’を有している。本実施形態において、ブラシヘッド１は刷面の傾斜方向が先の実施形態のブラシヘッド１と逆方向であるブラシヘッドであってよい。つまり、第１の実施形態においてブラシヘッド１の刷面１９１は、前端１１の左側１７から右側１５へ傾斜し、ブラシヘッド１’の刷面は前端１１の右側１５から左側１７へ傾斜してもよい。
【００３１】
また、上下顎の前歯領域における舌側への歯磨きの需要を満足させるために、ブラシヘッド１’の剛毛１９’は、収容部１０１に収容されるための短毛軟性剛毛を採用し、一側が長く他の一側が短い刷面の設計に合わせて、上下顎の前歯領域の舌側の歯磨きにおける死角の困難や噛み合い面の清潔への需要を同時に解決することができる。ブラシヘッド１の剛毛１９は、その他の長い剛毛であってよいが、ここでは、本考案は、それらのブラシヘッドの剛毛に限定されるものではないことはいうまでもない。
【００３２】
図８に示すように、固定部１１１’及び固定部１３１’は、収容部１０１に係止される凸部、凸リブまたはその他の均等の構造である。
【００３３】
このように、ブラシヘッド１によって一側にある歯の頬側（即ち歯の頬側の側面）及び他の一側にある舌側（即ち歯の舌側の側面）を清潔にすることができ、ブラシヘッド１’によって他の一側にある歯の頬側及び一側の歯の舌側（即ちブラシヘッド１によって清潔にされた他の一側に相対する歯）を清潔にすることができる。
【００３４】
ブラシヘッド１’を使用しない場合には、収容部１０１がブラシヘッド１’を歯ブラシ１００’の末端に隠すことができる。ブラシヘッド１’を使用する場合には、ブラシヘッド１’を図８に示すように押し出し、逆方向へ収容部１０１に入れるだけで、ブラシヘッド１’を使用することが可能である。このように、異なるブラシヘッドによって異なる側にある歯の頬側及び舌側を清潔にすることができる。
【００３５】
ここでは、本実施形態において、歯の異なる側を清潔にすることができるブラシヘッド１及びブラシヘッド１’を歯ブラシ１００の両端に設けることを例に説明しているが、他の実施形態において例えば同じブラシヘッド１またはブラシヘッド１’を歯ブラシ１００’の両端に設けることも可能であり、本実施形態に限定されるものではない。
【００３６】
また、本実施形態において歯ブラシ１００’の両端には固定式のブラシヘッド１と可動式のブラシヘッド１’とがそれぞれ設けられているが、その他の実施形態において歯ブラシ１００’の両端には、可動式のブラシヘッド１と固定式のブラシヘッド１’とがそれぞれ設けられてもよい。また、ハンドル３は、図７に示すものに限定されるものではなく、歯磨きの角度に一致するように、両端が下へと屈曲されてもよい。
【００３７】
また、本実施形態において、さらに刷面の傾斜方向がブラシヘッド１と逆方向であるブラシヘッド１’が設けられているが、その他の実施形態において歯ブラシ１００’の一端に一般のブラシヘッド（従来技術の図１Ａ及び図１Ｂ、図３Ａ及び図３Ｂ、または台湾実用新案公告第２６４６４９号に示す歯ブラシのブラシヘッド）が設けられてもよく、歯ブラシ１００’の他の一端にブラシヘッド１またはブラシヘッド１’のいずれか１つが設けられても良い。すなわち、歯ブラシ１００’の両端には、固定式のブラシヘッド１またはブラシヘッド１’のいずれか１つ及び可動式の一般のブラシヘッドがそれぞれ設けられ、若しくは歯ブラシ１００’の両端には、可動式のブラシヘッド１またはブラシヘッド１’のいずれか１つ及び固定式の一般のブラシヘッドがそれぞれ設けられてもよく、本実施形態に限定されるものではない。
【００３８】
また、ブラシヘッド１またはブラシヘッド１’の形状は、他の実施形態において図２Ａから図２Ｃに示すブラシヘッド形状であってもよく、上記または下記の実施形態に限定されるものではない。
【００３９】
図９Ａから図１０Ｂは、本考案に係るブラシヘッド及びそれを有する歯ブラシの第３の実施形態を示す。本考案の説明をより明快で分かりやすくするために、前記の実施形態と同一または近似である部分には同一または近似の符号を付し、詳しい説明を省略する。
【００４０】
第３の実施形態と前記の実施形態との最大の相違点は第３の実施形態ではブラシヘッドが歯ブラシの一端に取り外し自由な形で設けられていることにある。
【００４１】
図９Ａ及び図９Ｂに示すように、本実施形態のブラシヘッド１’’は、前端１１、後端１３、２つの対向側部１５、１７、剛毛１９を有している。前端１１及び後端１３のそれぞれには第１の結合部１１３及び第２の結合部１３３が設けられ、それは例えば凹部であってもよい。その剛毛１９が刷面１９１’’を規定し、刷面１９１’’、前端１１の右側１５から左側１７へ傾斜してよく、一側が長く他の一側が短い例えば放物線の外形となっている。
【００４２】
図１０Ａ及び図１０Ｂに示すように、本実施形態の歯ブラシ１００’は、ブラシヘッド１’’及び該ブラシヘッドに結合されているハンドル３'を備えている。本実施形態においては、ブラシヘッド１’’とハンドル３’とが互いに分離するように設計してもよく、ハンドル３’の一端には第３の結合部３１’が設けられ、該第３の結合部は、第１の結合部１１３及び第２の結合部１３３に対応して結合されるための凸部であってよく、第１の結合部１１３及び第２の結合部１３３に係止するための凸リブ３１１’を備えている。
【００４３】
第３の結合部３１’が第１の結合部１１３に結合され、若しくは第３の結合部３１’が第２の結合部１３３に結合されるように変更することにより、ブラシヘッド１’’が歯ブラシ１００'に設けられる位置を１８０度変更することができる。このように、同一のブラシヘッドによって異なる側にある歯の頬側及び舌側を清潔にすることができる。
【００４４】
ここでは、本実施形態において、歯ブラシ１００’の一端に設置位置を１８０度変更できるブラシヘッド１’’が設けられていることを例に説明しているが、その他の実施形態において例えば歯ブラシ１００'の両端（即ちハンドルの両端）に第３の結合部３１’及び第４の結合部(図示せず)が設けられ、第３の結合部３１’が、ブラシヘッド’’が歯ブラシ１００’に設けられる位置を１８０度変更できるように、第１の結合部１１３または第２の結合部１３３に結合されてよく、第４の結合部を、一般のブラシヘッドまたは第１の実施形態に示すブラシヘッド１に結合するための凸部であってよく、本実施形態に限定されるものではないことはいうまでもない。これらの変更は従来技術であるため、詳しい説明を省略する。
【００４５】
図１１ないし図１２は、本考案に係るブラシヘッド及びそれを有する歯ブラシの第４の実施形態を示す。本考案の説明をより分かりやすくするために、前記の実施形態と同一または近似の部分には同一または近似の参照番号を付し、詳しい説明を省略する。
【００４６】
第４の実施形態と第３の実施形態との最大の相違点は、第４の実施形態ではブラシヘッドが１８０度位置変更可能に枢着された形で歯ブラシの一端に設けられていることにある。
【００４７】
図１１に示すように、ブラシヘッド１は第１の実施形態の構造とほぼ同一であるが、その相違点は、本実施形態のブラシヘッド１の底部には開口１２及び該開口の両側にそれぞれ設けられた２つの凹溝１４が設けられていることにある。ハンドル３’’の前端には、接合部３３が延設され、接合部３３には、開口１２に対応して結合されるピン３５と、ピン３５の両側にそれぞれ設けられ、凹溝１４に対応して結合される凹部３７とが設けられており、ピン３５は、開口１２に対応して結合され、ブラシヘッド１を回転させるのに必要な弾性を付与するように、ほぼ中央にスロット３５１が設けられている。
【００４８】
ブラシヘッド１がハンドル３’’に結合されたあと、図１２に示す歯ブラシ１００’’を得ることができる。この場合、ブラシヘッド１の回転により刷面の位置を１８０度変更することで、同一のブラシヘッドによって異なる側にある歯の頬側及び舌側を清潔にすることができる。
【００４９】
従来の技術に比較して、本考案に係るブラシヘッドの刷面は、前端の一側から他の一側へと傾斜され、一側が長く他の一側が短い例えば放物線の外形となっているため、歯磨きの清潔化を効果的に向上することができ、歯科医または歯科医療従事者のような専門的な口腔清潔技法を具えていない一般の使用者であっても、歯肉溝及び歯を効果的に清潔にすることができる。
【００５０】
また、本考案によれば、例えば放物線の外形の設計による刷面によって上下顎の前歯領域における舌側に対応して清潔にすることができるため、最も清潔にしにくい領域を容易かつ効果的に清潔にすることができる。また、前記の異なる実施形態を用いて本考案を実現することができるとともに、各実施形態に置換や変更を加えることも可能である。例えば、第３の実施形態のブラシヘッドを第１の実施形態のブラシヘッドに取り替え、或いは第４の実施形態のブラシヘッドを第２の実施形態のブラシヘッドに取り替えてもよく、また第３の実施形態の嵌合設計及び第４の実施形態のピン設計の代わりに、歯ブラシの一端（即ち刷面の設置位置）に１８０度変更できるブラシヘッドが設けられている設計を採用してもよい。したがって、本考案は多様な設計上の自由度を持っている。
【００５１】
上記のように、本考案に係るブラシヘッド及びそれを有する歯ブラシは、歯磨きの清潔効率を効果的に向上し、歯及び歯肉溝を効果的に清潔にすることができるだけでなく、歯磨きがより容易となり、しかも専門的な歯磨き方法を必要とせず口腔の清潔化を行うことができ、更に歯磨きにおける死角及び噛み合い面の清潔への需要を同時に満足させることができ、より一層の設計上の自由度を向上できるため、極めて高い産業上の利用価値を有するものである。
【００５２】
上記のように、これらの実施の形態は本考案を例示する目的で示すものであり、本考案は、これらによって何ら限定されるものではない。本考案に係る実質的な技術内容は、実用新案登録請求の範囲に規定される。本考案はこの技術分野に精通した者が実用新案登録請求の範囲を脱しない範囲で色々な変更が可能である。
【図面の簡単な説明】
【００５３】
【図１】従来技術のブラシヘッド及び歯ブラシの構造を模式的に示したブロック図。
【図２】従来技術のブラシヘッドの形状を模式的に示したブロック図。
【図３】他の従来技術のブラシヘッド及び歯ブラシの構造を模式的に示したブロック図。
【図４】本考案の第１の実施形態のブラシヘッドの構造を模式的に示したブロック図であって、図４Ａは立体図であり、図４Ｂは前端から図４Ａを見た側面図。
【図５】本考案の第１の実施形態の歯ブラシの構造を模式的に示したブロック図。
【図６】本考案の第１の実施形態の歯ブラシの使用状態を模式的に示したブロック図。
【図７】本考案の第２の実施形態のブラシヘッド及びそれを有する歯ブラシの他の構造を模式的に示したブロック図であって、歯ブラシの一端にブラシヘッドが内蔵されていることを示している。
【図８】本考案の第２の実施形態のブラシヘッド及びそれを有する歯ブラシの構造を模式的に示したブロック図であって、歯ブラシの一端に収納されているブラシヘッドが、すでにハンドル上に装着されていることを示している。
【図９】本考案の第３の実施形態のブラシヘッドの構造を模式的に示したブロック図であって、図９Ａは前端から見た側面図、図９Ｂは後端から見た側面図。
【図１０】本考案の第３の実施形態のブラシヘッド及びそれを有する歯ブラシの構造を模式的に示した分解図であって、図１０Ａは側面図、図１０Ｂは立体図。
【図１１】本考案の第４の実施形態のブラシヘッド及びそれを有する歯ブラシの構造を模式的に示した分解図。
【図１２】図１１の組立てを模式的に示したブロック図。
【符号の説明】
【００５４】
１、１’、１’’  ブラシヘッド
１１  前端
１１１  固定部
１１３  第１の結合部
１２  開口
１３  後端
１３１  固定部
１３３  第２の結合部
１４  凹溝
１５、１７  側部
１９  剛毛
１９１、１９１’’  刷面
３、３’、３’’  ハンドル
３１’ 第３の結合部
３１１’ 凸リブ
３３  接合部
３５  ピン
３５１  スロット
３７  凸部
５  歯
７  歯肉溝
１００、１００’、１００’’  歯ブラシ
１０１  収容部
１０  歯ブラシ
１０１  ブラシヘッド
１０１１  剛毛
１０３  ハンドル
２０  歯ブラシ
２０１  ブラシヘッド
２０１１  剛毛
【図１】
0003120305.tif 000003
【図２】
0003120305.tif 000004
【図３】
0003120305.tif 000005
【図４】
0003120305.tif 000006
【図５】
0003120305.tif 000007
【図６】
0003120305.tif 000008
【図７】
0003120305.tif 000009
【図８】
0003120305.tif 000010
【図９】
0003120305.tif 000011
【図１０】
0003120305.tif 000012
【図１１】
0003120305.tif 000013
【図１２】
0003120305.tif 000014